(57)【要約】【課題】ユーザが複数の通信プロトコルを意識することなく、映像ファイルを送信することが可能なこと。【解決手段】クライアント装置に送信される映像ファイルが選択された場合、選択された映像ファイルが著作権保護情報を含むか否かを判別し（ステップＳ１２）、判別結果に応じてクライアント装置に送信する通信プロトコルを選択し（ステップＳ１３，Ｓ１４）、クライアント装置に送信される映像ファイルが新たに選択された場合、選択された通信プロトコルを用いて新たに選択された映像ファイルをクライアント装置に送信することができるか否かを判別し（ステップＳ１７）、選択された映像ファイル、および送信できると判断された映像ファイルを示す送信映像ファイルリスト情報を管理し（ステップＳ１８）、送信映像ファイルリスト情報によって示される一つ以上の映像ファイルを選択されたプロトコルを用いてクライアント装置に送信する（ステップＳ２０）。【選択図】    図２
2011035839.tif 000002
【特許請求の範囲】
【請求項１】
複数の映像ファイルが格納される記憶装置と、
映像ファイル記録装置とネットワークを介して通信を行う通信手段と、
前記複数の映像ファイルの中から一つの映像ファイルが前記映像ファイル記録装置に送信される映像ファイルとして選択された場合、前記選択された映像ファイルが著作権保護情報を含むか否かを判別する著作権保護情報判別手段と、
前記著作権保護情報判別手段によって判別された映像ファイルが送信される映像ファイルとして最初に選択された映像ファイルの場合、前記著作権保護情報判別手段の判別結果に応じて前記選択された映像ファイルを前記映像ファイル記録装置に送信する通信プロトコルを選択するプロトコル選択手段と、
前記プロトコル選択手段によって通信プロトコルが選択された後、前記複数の映像ファイルの中から一つの映像ファイルが前記映像ファイル記録装置に送信される映像ファイルとして新たに選択された場合、前記著作権保護情報判別手段の判別結果に基づいて前記選択された通信プロトコルを用いて前記新たに選択された映像ファイルを前記映像ファイル記録装置に送信することができるか否かを判別する送信判別手段と、
前記選択された映像ファイル、および前記送信判別手段によって送信できると判断された映像ファイルを示す送信映像ファイルリスト情報を管理する送信ファイル情報管理手段と、
前記送信ファイル情報管理手段によって管理されている送信映像ファイルリスト情報によって示される一つ以上の映像ファイルを前記選択されたプロトコルを用いて前記通信手段を介して前記映像ファイル記録装置に送信する送信手段と
を具備することを特徴とする映像ファイル送信装置。
【請求項２】
前記送信判別手段によって送信できないと判断された場合に、前記新たに選択された映像ファイルは前記映像ファイル記録装置に送信する映像ファイルとして選択することができないことを通知する通知手段を更に具備することを特徴とする請求項１に記載の映像ファイル送信装置。
【請求項３】
前記プロトコル選択手段は、
前記著作権保護情報判別手段によって前記選択された映像ファイルが著作権保護情報を含むと判断された場合に当該映像ファイルを送信する通信プロトコルとしてＤＴＣＰ−ＩＰを選択し、
前記著作権保護情報判別手段によって前記選択された映像ファイルが著作権保護情報を含まないと判断された場合に当該映像ファイルを送信する通信プロトコルとしてＦＴＰを選択することを特徴とする請求項１または請求項２の何れか１項に記載の映像ファイル送信装置。
【請求項４】
前記送信判別手段は、
前記プロトコル選択手段によってＤＴＣＰ−ＩＰが選択された場合、前記新たに選択された映像ファイルが著作権保護情報を含む場合に当該映像ファイルを前記映像ファイル記録装置に送信することができると判断し、当該映像ファイルが著作権保護情報を含まない場合に当該映像ファイルを前記映像ファイル記録装置に送信することができないと判断し、
前記プロトコル選択手段によってＦＴＰが選択された場合、前記新たに選択された映像ファイルが著作権保護情報を含まない場合に当該映像ファイルを前記映像ファイル記録装置に送信することができると判断し、当該映像ファイルが著作権保護情報を含む場合に当該映像ファイルを前記映像ファイル記録装置に送信することができないと判断する
ことを特徴とする請求項３に記載の映像ファイル送信装置。
【請求項５】
デジタル放送番組データを受信するチューナと、
前記チューナによって受信されたデジタル放送番組データを映像ファイルとして前記記憶装置に記録する記録手段とを更に具備し、
前記記録手段によって前記記憶装置に記録された映像ファイルは著作権保護情報を含むことを特徴とする請求項１乃至請求項４の何れか１項に記載の映像ファイル送信装置。
【請求項６】
記憶装置内に格納されている映像ファイルの中から一つの映像ファイルがネットワークを介して通信可能な映像ファイル記録装置に送信される映像ファイルとして選択された場合、前記選択された映像ファイルが著作権保護情報を含むか否かを判別し、
前記著作権保護情報を含むか否かの判別結果に応じて前記選択された映像ファイルを前記映像ファイル記録装置に送信する通信プロトコルを選択し、
前記通信プロトコルが選択された後、前記記憶装置内に格納されている映像ファイルの中から一つの映像ファイルが前記映像ファイル記録装置に送信される映像ファイルとして新たに選択された場合、前記新たに選択された映像ファイルが著作権保護情報を含むか否かを判別し、
前記新たに選択された映像ファイルが著作権保護情報を含むか否かの判別結果に基づいて、前記選択された通信プロトコルを用いて前記新たに選択された映像ファイルを前記映像ファイル記録装置に送信することができるか否かを判別し、
前記選択された映像ファイル、および前記送信できると判断された映像ファイルを示す送信映像ファイルリスト情報を管理し、
前記送信映像ファイルリスト情報によって示される一つ以上の映像ファイルを前記選択された通信プロトコルを用いて前記ネットワークを介して前記映像ファイル記録装置に送信する
を含むことを特徴とする映像ファイルの送信方法。
【請求項７】
前記新たに選択された映像ファイルは送信できないと判断された場合に、前記新たに選択された映像ファイルは前記映像ファイル記録装置に送信する映像ファイルとして選択することができないことを通知することを更に含むことを特徴とする請求項６に記載の映像ファイルの送信方法、
【請求項８】
前記通信プロトコルの選択は、
前記選択された映像ファイルが著作権保護情報を含むと判断された場合に当該映像ファイルを送信する通信プロトコルとしてＤＴＣＰ−ＩＰを選択し、
前記選択された映像ファイルが著作権保護情報を含まないと判断された場合に当該映像ファイルを送信する通信プロトコルとしてＦＴＰを選択する
を含むことを特徴とする請求項６または請求項７の何れか１項に記載の映像ファイルの送信方法。
【請求項９】
前記新たに選択された映像ファイルを送信できるか否かの判別は、
前記ＤＴＣＰ−ＩＰが選択された場合、前記新たに選択された映像ファイルが著作権保護情報を含む場合に当該映像ファイルを前記映像ファイル記録装置に送信することができると判断し、当該映像ファイルが著作権保護情報を含まない場合に当該映像ファイルを前記映像ファイル記録装置に送信することができないと判断し、
前記ＦＴＰが選択された場合、前記新たに選択された映像ファイルが著作権保護情報を含まない場合に当該映像ファイルを前記映像ファイル記録装置に送信することができると判断し、当該映像ファイルが著作権保護情報を含む場合に当該映像ファイルを前記映像ファイル記録装置に送信することができないと判断する
を含むことを特徴とする請求項８に記載の映像ファイルの送信方法。
【請求項１０】
チューナによって受信されたデジタル放送番組データを映像ファイルとして前記記憶装置に記録し、
前記記録された映像ファイルは著作権保護情報を含むことを特徴とする請求項６乃至請求項９の何れか１項に記載の映像ファイルの送信方法。
【発明の詳細な説明】
【技術分野】
【０００１】
本発明は、映像ファイルを送信することが可能な映像ファイル送信装置および映像ファイルの送信方法に関する。
【背景技術】
【０００２】
現在、アナログチューナおよびデジタルチューナを有し、チューナによって受信された放送番組をハードディスクドライブ等の記憶装置に記録することが可能な製品が普及している。
【０００３】
アナログチューナによって受信された放送番組やユーザが撮影した映像ファイルを通信プロトコルにＦＴＰを用いてネットワークに接続されている他の装置に転送することは可能である（特許文献１）。
【０００４】
デジタルチューナによって受信された放送番組は著作権保護されているために、装置内の放送番組を他の装置に転送するためには通信プロトコルとしてＤＴＣＰ−ＩＰを用いなければならない。
【先行技術文献】
【特許文献】
【０００５】
【特許文献１】特開２００６−１８８７１号公報
【発明の概要】
【発明が解決しようとする課題】
【０００６】
送信される映像ファイルが著作権保護されている場合と保護されていない場合とでは映像ファイルを送信する通信プロトコルが異なり、映像ファイルが著作権保護されているかに応じて通信プロトコルを選択する必要がある。
【０００７】
ＦＴＰで映像ファイルを他の装置に送信する際、自装置はＦＴＰサーバとして動作する。また、ＤＴＣＰ−ＩＰで映像ファイルを他の装置に送信する際、自装置はＤＬＮＡサーバとして動作する
従って、複数の映像ファイルを一度に送信する場合、著作権保護されている映像ファイルと著作権保護されていない映像ファイルとを同時に他の装置に送信することができない。
【０００８】
本発明の目的は、ユーザは複数の通信プロトコルを意識することなく、映像ファイルを送信することが可能な映像ファイル送信装置および映像ファイルの送信方法を提供することにある。
【課題を解決するための手段】
【０００９】
本発明の一例に係わる映像ファイル送信装置は、複数の映像ファイルが格納される記憶装置と、映像ファイル記録装置とネットワークを介して通信を行う通信手段と、前記複数の映像ファイルの中から一つの映像ファイルが前記映像ファイル記録装置に送信される映像ファイルとして選択された場合、前記選択された映像ファイルが著作権保護情報を含むか否かを判別する著作権保護情報判別手段と、前記著作権保護情報判別手段によって判別された映像ファイルが送信される映像ファイルとして最初に選択された映像ファイルの場合、前記著作権保護情報判別手段の判別結果に応じて前記選択された映像ファイルを前記映像ファイル記録装置に送信する通信プロトコルを選択するプロトコル選択手段と、前記プロトコル選択手段によって通信プロトコルが選択された後、前記複数の映像ファイルの中から一つの映像ファイルが前記映像ファイル記録装置に送信される映像ファイルとして新たに選択された場合、前記著作権保護情報判別手段の判別結果に基づいて前記選択された通信プロトコルを用いて前記新たに選択された映像ファイルを前記映像ファイル記録装置に送信することができるか否かを判別する送信判別手段と、前記選択された映像ファイル、および前記送信判別手段によって送信できると判断された映像ファイルを示す送信映像ファイルリスト情報を管理する送信ファイル情報管理手段と、前記送信ファイル情報管理手段によって管理されている送信映像ファイルリスト情報によって示される一つ以上の映像ファイルを前記選択されたプロトコルを用いて前記通信手段を介して前記映像ファイル記録装置に送信する送信手段とを具備することを特徴とする。
【発明の効果】
【００１０】
本発明によれば、ユーザは複数の通信プロトコルを意識することなく、映像ファイルを送信することが可能になる。
【図面の簡単な説明】
【００１１】
【図１】映像ファイル送信装置の構成を示すブロック図。
【図２】リモコンの構成を示す平面図。
【図３】「編集ナビ  トップ」画面を示す図。
【図４】「機能選択」画面を示す図。
【図５】「ダビング先切替選択」画面を示す図。
【図６】「ネットワーク機器選択」画面を示す図。
【図７】「編集ナビ  ダビング」画面を示す図。
【図８】「編集ナビ  ダビング」画面を示す図。
【図９】「編集ナビ  ダビング」画面を示す図。
【図１０】「編集ナビ  ダビング」画面を示す図。
【図１１】「編集ナビ  ダビング」画面を示す図。
【図１２】映像ファイルの構成を示す図。
【図１３】ダビング処理の手順を示すフローチャート。
【発明を実施するための形態】
【００１２】
本発明の実施の形態を以下に図面を参照して説明する。
【００１３】
図１は、本発明の一実施形態に係わる映像ファイル送信装置としての録画再生装置の構成を示すブロック図である。
【００１４】
図１に示す録画再生装置（動画像（映像信号）／オーディオ信号（音声信号）記録再生装置）１は、例えばチューナ部３もしくは外部入力部５から入力された動画像（映像信号）／オーディオ信号（音声信号）を、ＨＤＤ（ハードディスクドライブ）に代表される大容量記録装置７において記録可能に、あるいは大容量記録装置７に保持されている映像信号及び音声信号を、外部に接続されるテレビ受信機１１５等に出力する録画再生信号処理部（Digital Signal processor，ＤＳＰ）９を有する。
【００１５】
録画再生信号処理部９には、主制御ユニット１１及び主制御ユニット１１に接続されたメモリユニット（ＲＡＭ）１３、ユーザによる操作により生成される制御信号の入力に利用されるユーザ操作入力部１５、及びユーザ操作入力／ＧＵＩ表示モジュール１７等が接続されている。
【００１６】
また、録画再生信号処理部９には、光ディスクＤがセットされることで、光ディスクＤに収容されている情報を再生し、あるいはＨＤＤ７やチューナ部３から供給される映像信号及び音声信号が記録可能なディスクドライブユニット１９、及び外部に接続されるテレビ受信機１１５等に出力するための出力部２１が接続されている。
【００１７】
チューナ部３は、地上アナログ／地上デジタル等に代表される任意形式の公衆向け放送や、放送衛星や通信衛星を介して供給される公衆向け衛星放送波を受信可能で、例えばＴＳ（Transport stream，以降“ＴＳ”と称する）形式であるデジタル放送波の映像信号および音声信号も受信できる。なお、チューナ部３は、例えば光ケーブル等を介して、プロバイダあるいは配信局（地域ネットワーク基地局）等から供給される限定的なコンテンツも受信可能である。
【００１８】
ＨＤＤ（ハードディスクドライブ）７は、例えば２５０〜１０００Ｇバイトの記録容量が与えられた書き換え可能な大容量記録装置であって、記録レートを変えることにより、最大で１０００時間程度の映像信号および音声信号を含む映像ファイルが記録可能である。
【００１９】
主制御ユニット１１は、詳述しないが、ＣＰＵ（Central processing unit）またはＭＰＵ（Main processing unit）等で構成される。また、主制御ユニット１１は、プログラムを実行することによって、選択映像ファイル検出モジュール１１Ａ、選択映像ファイル著作権情報検出モジュール１１Ｂ、選択映像ファイル対応通信プロトコル選択モジュール１１Ｃ、選択通信プロトコル許可映像ファイル判定モジュール１１Ｄ、ダビング映像ファイル管理モジュール１１Ｅ、および映像ファイルダビングモジュール１１Ｆ等として動作する。
【００２０】
メモリユニット１３は、ワークメモリとして機能するメインメモリ（ＳＤＲＡＭ）と、図示しないが、主制御ユニット１１によって実行され録画再生装置１を動作させるためのプログラムを保持したＲＯＭを含む。
【００２１】
ユーザ操作入力部１５は、例えば無線式や赤外線式のリモート端末（リモコン、図２参照）を介してユーザから指示される制御情報、例えばチューナ部３を経由して取得（受信）すべき放送波の選択や、録画再生信号処理部９による録画処理すなわち光ディスクへのダビングまたはムーブのためのコンテンツを決定するユーザ操作を受け付ける。
【００２２】
ＧＵＩ表示モジュール１７は、ユーザ操作入力部１５から入力される制御信号に基づいて、ＨＤＤ７に格納されている映像ファイルをダビングするための操作画面を、外部に接続されるテレビ受信機１１５における表示部に表示する。なお、ＧＵＩ表示モジュール１７は、ダビングすることができない映像ファイルが選択された場合に、選択できないことをＧＵＩ（Graphical User Interface）表示するためのＯＳＤ（On Screen Display）ユニットを含む。
【００２３】
通信モジュール２０は、イーサネット（登録商標）等のネットワークによって接続されたクライアント装置（映像ファイル記録装置）３０と互いに通信を行う。主制御ユニット１１は、通信モジュール２０を用いてハードディスクドライブ部７に格納されている映像ファイルをクライアント装置３０に送信することが可能である。以下では、映像ファイルをクライアント装置３０に送信することをダビングとも言う場合がある。なお、クライアント装置３０は、ＤＬＮＡクライアント、またはＦＴＰクライアントとして動作可能である。
【００２４】
次に、図１に示した録画再生装置（記録再生装置）を用いて、ハードディスクドライブ部７に録画済の映像ファイルをクライアント装置３０にダビングする例を説明する。
【００２５】
図２に示すリモートコントロール端末ＲＭの編集ナビボタン２０１がユーザにより押圧操作されることで、図３に示すような「編集ナビ  トップ」画面３０１が表示される。
【００２６】
なお、以下に説明するさまざまな表示（画面）においては、リモコン端末ＲＭの詳述しない上下左右方向の４つの矢印キー２０２〜２０５により現在選択中の表示項目（例えばアイコン）が反転表示もしくはグレーダウン（表示色がグレーに変更される）表示され、例えば『決定』キー２１１により確定されることで、選択された項目に対応する処理が実行されるものとする。
【００２７】
また、以下に説明する個々の『表示（画面）』は、録画再生装置１において、出力部２１に接続されたテレビ受信機（モニタ装置）１１５の画面に表示される表示例であり、その『表示（画面）』となる表示パターン、例えば図３により以下に説明する「編集ナビ  トップ」画面（表示）や後に示す「編集ナビ  ダビング」画面（表示）は、主制御ユニット１１に接続されたＧＵＩ表示モジュール１７により生成され、録画再生信号処理部９から出力部２１に出力される映像及び音声出力に重ね合わせられることはいうまでもない。
【００２８】
図３に示す「編集ナビ  トップ」画面において、ハードディスクドライブに格納されている映像ファイルのリストが表示される。なお、図３において、映像ファイルのリストは例えば各映像ファイルを示すアイコン３１１〜３１５によって示されている。また、アイコン３１１、３１４内のマーク３２１は、アイコン３１１，３１４が示す映像ファイルが著作権保護されていることを示している。なお、ユーザが十字ボタンを操作することで映像ファイルを示すアイコンを選択した後に決定ボタンを押圧操作することでアイコンに対応する映像ファイルに対する処理を選択するための図４に示す「機能選択」画面４０１が表示される。
【００２９】
図４に示す「機能選択」画面４０１が表示された状態で、ユーザによる十字ボタンおよび決定ボタンの操作によって「ダビング」項目４１１が選択決定されると、図５に示す「ダビング先切替選択」画面５０１が表示される。そして、ユーザによる十字ボタンおよび決定ボタンの操作によって「ダビング先切替選択」画面５０１内の「ＬＡＮ」項目５１１が選択決定されると、「ネットワーク機器選択」画面６０１が表示される。
【００３０】
「ネットワーク機器選択」画面６０１内には、ネットワークに接続されているネットワーク機器のリストおよび各機器のダビング先を示す項目が表示される。なお、図６に示す「ネットワーク機器選択」画面６０１は、ネットワークに１台の機器が接続されている場合である。ユーザによる十字ボタンおよび決定ボタンの操作によって、「ネットワーク機器選択」画面６０１内の「ＨＤＤ」項目６１１が選択決定されると、図７に示す「編集ナビ  ダビング」画面７０１が表示される。「編集ナビ  ダビング」画面７０１の上段には、「編集ナビ  トップ」画面３０１と同様にハードディスクドライブに格納されている映像ファイルを示すアイコンが表示される。また、「編集ナビ  ダビング」画面７０１の下段には、ダビングされる映像ファイルを示すアイコン７１１が表示される。図７に示す「編集ナビ  ダビング」画面７０１の例は、アイコン３１４が示す画像ファイルがダビングされるファイルとして選択された場合を示している。
【００３１】
続いて、ユーザによる十字ボタンおよび決定ボタンの操作によって「編集ナビ  ダビング」画面７０１の上段内に示されるアイコン３１１〜３１３、３１５を選択決定することができる。ところが、アイコン７１１が示すダビングする映像ファイルとして最初に選択決定された映像ファイルに応じて選択することができないファイルが存在する。例えば、アイコン７１１が示す映像ファイルが著作権保護情報を有する場合、これから選択決定可能な映像ファイルは著作権保護情報を有する映像ファイルに限られる。また、例えば、アイコン７１１が示す映像ファイルが著作権保護情報を有しない場合、これから選択決定可能な映像ファイルは著作権保護情報を有しない映像ファイルに限られる。
【００３２】
例えば、図８に示す状態では、アイコン３１１によって示され、著作権保護情報を有する映像ファイルをダビングする映像ファイルとして選択することができる。ユーザによる十字ボタンおよび決定ボタンの操作によって「編集ナビ  ダビング」画面７０１の上段内のアイコン３１１が選択決定された場合、図８に示される「編集ナビ  ダビング」画面７０２のように、「編集ナビ  ダビング」画面７０２の下段にアイコン３１１に対応するアイコン７１２が表示される。
【００３３】
しかし、図８に示す状態において、ユーザによる十字ボタンおよび決定ボタンの操作によって「編集ナビ  ダビング」画面７０１の上段内のアイコン３１３が選択決定された場合、アイコン３１３によって示される映像ファイルは著作権保護情報を有しないので、アイコン３１３によって示される映像ファイルをダビングする映像ファイルとして選択することができない。この場合、図９に示される「編集ナビ  ダビング」画面７０３のように、選択することできない旨を通知するウィンドウ７２１が表示される。ウィンドウ７２１内には、「選択できません」という文字列が表示されている。
【００３４】
同様に、図３に示す「編集ナビ  トップ」画面において、ユーザによる十字ボタンおよび決定ボタンの操作によって、著作権保護情報を有しない映像ファイルを示すアイコン（３１２，３１３，３１５）が最初に選択決定された後に、ダビングされる映像ファイルとして選択できるのは著作権保護情報を有しない映像ファイルを示すアイコン（３１２，３１３，３１５）である。例えば、図３に示す「編集ナビ  トップ」画面においてアイコン３１３が選択された場合、アイコン３１１、３１５をダビングする映像ファイルとして選択することができる。例えば、図１０に示すように、「編集ナビ  ダビング」画面７０４の下段にアイコン３１３、３１１、３１５に対応するアイコン７２１、７２２、７２３が示される。図１０に示す状態から、ユーザによる十字ボタンおよび決定ボタンの操作によってアイコン３１１またはアイコン３１４の何れかを選択決定すると、図１１に示される「編集ナビ  ダビング」画面７０５のように、選択することできない旨を通知するウィンドウ７２２が表示される。ウィンドウ７２２内には、「選択できません」という文字列が表示されている。
【００３５】
主制御ユニット１１によって実行される、ダビングを行うための各機能について以下に説明する。
【００３６】
選択映像ファイル検出モジュール１１Ａは、図３に示す「編集ナビ  トップ」画面３０１においてユーザにより十字ボタンおよび決定ボタンの操作によってアイコンが選択決定された後に、図４に示す「機能選択」画面４０１が表示された状態で、ユーザによる十字ボタンおよび決定ボタンの操作によって「ダビング」項目４１１が選択決定された場合に、図３に示す「編集ナビ  トップ」画面３０１において選択決定されたアイコンが示す映像ファイルを検出する。選択映像ファイル検出モジュール１１Ａは、最初に選択されたことを示すタグが付加され、検出された映像ファイルを示すダビング映像ファイル情報を選択映像ファイル著作権情報検出モジュール１１Ｂに送る。
【００３７】
また、選択映像ファイル検出モジュール１１Ａは、例えば「編集ナビ  ダビング」画面（例えば、図７に示される）においてユーザにより十字ボタンおよび決定ボタンの操作によって選択決定されたアイコンがしめす映像ファイルを検出する。そして、選択映像ファイル検出モジュール１１Ａは、最初に選択された映像ファイルではないことを示すタグが付加され、検出された映像ファイルを示すダビング映像ファイル情報を選択映像ファイル著作権情報検出モジュール１１Ｂに送る。
【００３８】
選択映像ファイル著作権情報検出モジュール１１Ｂは、映像ファイル情報によって示される映像ファイルが著作権情報を含むか否かを判別する。図１２に示すように、動画データおよびオーディオデータを含む映像データ１２０２Ａ，１２０２Ｂの先頭にタイトル情報１２０１Ａ，１２０１Ｂが付加されている。そして、タイトル情報中には、作成年月日、タイトル名、著作権保護情報、およびストリームタイプ等を記述するための項目が設けられている。選択映像ファイル著作権情報検出モジュール１１Ｂは、タイトル情報中の著作権保護情報の項目１２１１Ａ，１２１１Ｂを参照することによって、映像ファイルが著作権保護されているか否かを検出する。なお、図１２(Ａ)は著作権保護情報を有しない映像ファイルを示し、図１２(Ｂ)は著作権保護情報を有する映像ファイルを示している。
【００３９】
ダビング映像ファイル情報内に最初に選択されたことを示すタグがある場合、ダビング映像ファイル情報に著作権保護情報の有無を示すタグを付加し、ダビング映像ファイル情報を選択映像ファイル対応通信プロトコル選択モジュール１１Ｃに送る。
【００４０】
ダビング映像ファイル情報内に最初に選択された映像ファイルではないことを示すタグがある場合、選択映像ファイル著作権情報検出モジュール１１Ｂは、ダビング映像ファイル情報を選択通信プロトコル許可映像ファイル判定モジュール１１Ｄに渡す。
【００４１】
選択映像ファイル対応通信プロトコル選択モジュール１１Ｃは、ダビング映像ファイル情報内の著作権保護情報の有無を示すタグに基づいて、映像ファイルを選択された映像ファイルのデータをクライアントに送信する通信プロトコルを選択する。ＤＴＣＰ−ＩＰまたはＦＴＰの何れかが選択された映像ファイルのデータを送信する通信プロトコルとして選択される。選択された映像ファイルが著作権保護情報を有する場合、選択映像ファイル対応通信プロトコル選択モジュール１１ＣはＤＴＣＰ−ＩＰを選択する。また、選択された映像ファイルが著作権保護情報を有しない場合、選択映像ファイル対応通信プロトコル選択モジュール１１ＣはＦＴＰを選択する。
【００４２】
また、選択映像ファイル対応通信プロトコル選択モジュール１１Ｃは、選択された通信プロトコルを示すタグをダビング映像ファイル情報に付加し、ダビング映像ファイル情報をダビング映像ファイル管理モジュール１１Ｅに送る。
【００４３】
選択通信プロトコル許可映像ファイル判定モジュール１１Ｄは、通信プロトコルが選択された後に、ダビング映像ファイル情報が示す映像ファイルをクライアントに送ることができるか否かを判別する。クライアントに送ることができないと判断した場合、選択通信プロトコル許可映像ファイル判定モジュール１１Ｄは、選択された映像ファイルをダビングできない旨をユーザに通知するための表示を行うようにＧＵＩ表示モジュール１７に命令する。クライアントに送ることができると判断された場合、選択通信プロトコル許可映像ファイル判定モジュール１１Ｄは、ダビング映像ファイル情報をダビング映像ファイル管理モジュール１１Ｅに送る。
【００４４】
選択映像ファイル対応通信プロトコル選択モジュール１１ＣによってＤＴＣＰ−ＩＰが選択された場合の選択通信プロトコル許可映像ファイル判定モジュール１１Ｄの判定方法について以下に説明する。選択された映像ファイルが著作権保護情報を有する場合、選択通信プロトコル許可映像ファイル判定モジュール１１Ｄは、選択された映像ファイルをクライアントに送ることができると判断する。また、選択された映像ファイルが著作権保護情報を有しない場合、選択通信プロトコル許可映像ファイル判定モジュール１１Ｄは、選択された映像ファイルをクライアントに送ることができないと判断する。
【００４５】
次に、選択映像ファイル対応通信プロトコル選択モジュール１１ＣによってＦＴＰが選択された場合の選択通信プロトコル許可映像ファイル判定モジュール１１Ｄの判定方法について以下に説明する。選択された映像ファイルが著作権保護情報を有しない場合、選択通信プロトコル許可映像ファイル判定モジュール１１Ｄは、選択された映像ファイルをクライアントに送ることができると判断する。また、選択された映像ファイルが著作権保護情報を有する場合、選択通信プロトコル許可映像ファイル判定モジュール１１Ｄは、選択された映像ファイルをクライアントに送ることができないと判断する。
【００４６】
ダビング映像ファイル管理モジュール１１Ｅは、選択映像ファイル対応通信プロトコル選択モジュール１１Ｃから送られたダビング映像ファイル情報および選択通信プロトコル許可映像ファイル判定モジュール１１Ｄから送られたダビング映像ファイル情報に基づいて、通信プロトコルとクライアントに送信する映像ファイルを示すリストとを含むダビング映像ファイルリストを作成、管理する。
【００４７】
映像ファイルダビングモジュール１１Ｆは、ダビングする映像ファイルの選択が終了した場合、通信モジュールを用いてネットワークに接続されているクライアントに対して、ダビング映像ファイルリストに登録されている映像ファイルのデータをダビング映像ファイルリストに登録されている通信プロトコルを用いて送信する。
【００４８】
次に、図１３に示すフローチャートを参照して、ダビング処理の手順を説明する。  
先ず、選択映像ファイル検出モジュール１１Ａは、最初にダビングすることが選択された映像ファイルを検出する（ステップＳ１１）。そして、選択映像ファイル検出モジュール１１Ａは、最初に選択されたことを示すタグを有し、検出された映像ファイルを示すダビング映像ファイル情報を選択映像ファイル著作権検出モジュールに渡す。
【００４９】
選択映像ファイル著作権検出モジュールは、ダビング映像ファイル情報が示す映像ファルを参照し、著作権情報を含むか否かを示すタグが付加された、ダビング映像ファイル情報を選択映像ファイル対応通信プロトコル選択モジュール１１Ｃに送る。
【００５０】
選択映像ファイル対応通信プロトコル選択モジュール１１Ｃは、ダビング映像ファイル情報内の著作権情報の有無を示すタグに基づいて、ダビング映像ファイル情報が示す映像ファイルが著作権保護情報を含むか否かを判別する（ステップＳ１２）。含むと判断した場合（ステップＳ１２のＹｅｓ）、選択映像ファイル対応通信プロトコル選択モジュール１１Ｃは通信プロトコルとしてＤＴＣＰ−ＩＰを選択する（ステップＳ１３）。含まないと判断した場合（ステップＳ１２のＮｏ）、選択映像ファイル対応通信プロトコル選択モジュール１１Ｃは通信プロトコルとしてＦＴＰを選択する（ステップＳ１４）。選択映像ファイル対応通信プロトコル選択モジュール１１Ｃは、選択したプロトコルを示すタグが更に付加されたダビング映像ファイル情報をダビング映像ファイル管理モジュール１１Ｅに渡す。ダビング映像ファイル管理モジュール１１Ｅは、ダビング映像ファイル情報に基づいてダビング映像ファイルリストを作成する。
【００５１】
ユーザにより決定ボタンが操作された場合、選択映像ファイル検出モジュール１１Ａは、画面上で選択されていたのが、図７，８，１０に示される「移動開始」ボタン７３１または「コピー開始」ボタン７３２の何れかであったか否かを判別する（ステップＳ１５）。
【００５２】
何れかでもないと判断した場合（ステップＳ１５のＮｏ）、選択映像ファイル検出モジュール１１Ａは、二番目以降にダビングする映像ファイルを選択されたのか否かを判別する（ステップＳ１６）。映像ファイルが選択されたと判断した場合（ステップＳ１６のＹｅｓ）、ステップＳ１５の処理に戻る。
【００５３】
映像ファイルが選択されたと判断した場合（ステップＳ１６のＹｅｓ）、選択映像ファイル検出モジュール１１Ａは、最初に選択された映像ファイルではないことを示すタグを有し、検出された映像ファイルを示すダビング映像ファイル情報を選択映像ファイル著作権検出モジュールに渡す。
【００５４】
選択映像ファイル著作権検出モジュールは、ダビング映像ファイル情報が示す映像ファルを参照し、著作権情報を含むか否かを示すタグが付加された、ダビング映像ファイル情報を選択通信プロトコル許可映像ファイル判定部に送る。
【００５５】
選択通信プロトコル許可映像ファイル判定モジュール１１Ｄは、ダビング映像ファイルリストを参照することによってダビング時の通信プロトコルを認識する。そして、選択通信プロトコル許可映像ファイル判定モジュール１１Ｄは、送られたダビング映像ファイル情報が示す映像ファイルをダビングすることができるか否かを判別する（ステップＳ１７）。
【００５６】
できないと判別した場合（ステップＳ１７のＮｏ）、選択通信プロトコル許可映像ファイル判定モジュール１１Ｄは、ＧＵＩ表示モジュール１７にダビングする映像ファイルとして選択することができないことを示すアラート表示を行うように命令する。ＧＵＩ表示モジュール１７は、ダビングする映像ファイルとして選択することができないことを示すアラート表示を行う（ステップＳ１９）。
【００５７】
できると判断した場合（ステップＳ１７のＹｅｓ）、ダビング映像ファイル情報をダビング映像ファイル管理モジュール１１Ｅに渡す。ダビング映像ファイル情報に基づいてダビング映像ファイルリストは、渡されたダビング映像ファイル情報に基づいてダビング映像ファイルリストにダビングされる映像ファイルを示す情報を追加する（ステップＳ１８）。そして、ステップＳ１８またはステップＳ１９の処理を行った後、ステップＳ１５の処理に戻る。
【００５８】
ステップＳ１５において、「移動開始」ボタンおよび「コピー開始」ボタンの何れかが選択決定されたと判断された場合（ステップＳ１５のＹｅｓ）、映像フィルダビングモジュールは、ダビング映像ファイルリストに基づいて、選択された映像ファイルのデータを選択された通信プロトコルを用いてクライアントに送信する（ステップＳ２０）。
【００５９】
上述したように、ユーザが最初にダビングすることを選択した映像ファイルが著作権保護情報を含むか否かの判別結果に応じて、映像ファイルを送信するための通信プロトコルを選択し、選択された通信プロトコルによって送信することができる映像ファイルだけをダビングする映像ファイルのリストに加えることで、ユーザが複数の通信プロトコルを意識することなく、ダビングする映像ファイルを選択することが可能になる。
【００６０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６１】
１…録画再生装置，３…チューナ部，５…外部入力部，７…ハードディスクドライブ部，９…録画再生信号処理部，１１…主制御ユニット，１１Ａ…選択映像ファイル検出モジュール，１１Ｂ…選択映像ファイル著作権情報検出モジュール，１１Ｃ…選択映像ファイル対応通信プロトコル選択モジュール，１１Ｄ…選択通信プロトコル許可映像ファイル判定モジュール，１１Ｅ…ダビング映像ファイル管理モジュール，１１Ｆ…映像ファイルダビングモジュール，１３…メモリユニット，１５…ユーザ操作入力部，１７…ＧＵＩ表示モジュール，１９…ディスクドライブユニット，２０…通信モジュール，２１…出力部，３０…クライアント装置。
【図１】
2011035839.tif 000003
【図２】
2011035839.tif 000004
【図３】
2011035839.tif 000005
【図４】
2011035839.tif 000006
【図５】
2011035839.tif 000007
【図６】
2011035839.tif 000008
【図７】
2011035839.tif 000009
【図８】
2011035839.tif 000010
【図９】
2011035839.tif 000011
【図１０】
2011035839.tif 000012
【図１１】
2011035839.tif 000013
【図１２】
2011035839.tif 000014
【図１３】
2011035839.tif 000015